(57)【要約】      （修正有）【課題】排出口からポンプ室内へ逆流した流体がポンプ室内に残留したり、吸込口内に流れ込んだりすることを防止する。【解決手段】内部にポンプ室５２を有し、該ポンプ室５２内へ流体を導入する吸込口５３ａと該ポンプ室５２から流体を排出する排出口５４ａ，５５ａとを有するケーシング５１と、上記ポンプ室５２内に回転軸を中心として回転可能に配置される羽根車とを備え、上記ポンプ室内の上記羽根車より下流側で、上記排出口５４ａ，５５ａの延長線上の位置に、上記排出口５４ａ，５５ａから上記吸込口５３ａへの流体の逆流を防止する壁部５９，６０を設ける。【選択図】図４
2011021510.tif 000002
【特許請求の範囲】
【請求項１】
内部にポンプ室を有し、且つ、該ポンプ室内へ流体を導入するための吸込口と該ポンプ室から流体を排出するための排出口とを有するケーシングと、
上記ポンプ室内に回転軸を中心として回転可能に配置される羽根車と、を備え、
上記ポンプ室内の上記羽根車よりも流体の流れ方向の下流側には、該排出口の延長線上の位置に、該排出口から上記吸込口への流体の逆流を防止するための壁部が設けられているポンプ。
【請求項２】
請求項１に記載のポンプにおいて、
上記ケーシングは、上記羽根車の回転軸が上下方向に延び、且つ、上記吸込口及び排出口が側方に向かって開口するように配置されていて、
上記ケーシング内の底面上には、上部で上記羽根車を回転可能に支持し、且つ、内部に上記吸込口から該羽根車に対して流体を流すための吸込通路を有する柱状のベース部が設けられていて、
上記羽根車は、上記ベース部の吸込通路内を流れて該羽根車内に流入する流体を上記排出口側へ流すように構成されていて、
上記壁部は、上記ベース部の側壁によって構成されるポンプ。
【請求項３】
請求項１または２に記載のポンプにおいて、
上記壁部は、上記排出口の出口側から視て、該排出口の入口側開口縁の最上点よりも高いポンプ。
【請求項４】
請求項２に記載のポンプにおいて、
上記壁部には、上記ベース部の上部から上記排出口に向かって流体が流れるように、該ベース部の上部と上記ケーシング内の底面とを繋ぐ傾斜部が設けられているポンプ。
【請求項５】
請求項４に記載のポンプにおいて、
上記羽根車は、正転方向及び逆転方向に回転可能に構成されていて、
上記傾斜部は、上記羽根車の回転方向に応じて流体が上記ベース部の上部から上記排出口に向かって流れるように、上記壁部の少なくとも２箇所に設けられているポンプ。
【請求項６】
請求項４または５に記載のポンプにおいて、
上記傾斜部は、上記ケーシングの側壁の内側に隣接するように設けられているポンプ。
【請求項７】
請求項６に記載のポンプにおいて、
上記傾斜部のケーシング内方側には、該傾斜部に沿って流体を流すためのガイド部が設けられているポンプ。
【請求項８】
請求項１から７のいずれか一つに記載のポンプおいて、
上記ケーシング内に支軸を中心として回動可能に配置され、回動により上記排出口を開閉させるように構成された切換弁をさらに備え、
上記ケーシングには、上記切換弁が回動するための回動空間部が形成されていて、
上記壁部は、上記回動空間部を区画する壁からなるポンプ。
【発明の詳細な説明】
【技術分野】
【０００１】
本発明は、流体を搬送するためのポンプに関する。
【背景技術】
【０００２】
従来より、流体を搬送するためのポンプとして、例えば、特開２００６−２２００３４号公報に開示されるように、ケーシングの内部に形成されるポンプ室内に吸込口を経て流体を導入し、該ポンプ室内で回転する羽根車によって排出口を経て流体を吐出するように構成されたものが知られている。
【０００３】
なお、上記ポンプには、２つの排出口が設けられていて、一方の排出口には、該排出口の開閉を上記羽根車の回転による流体の流れ方向に応じて切り換え可能な切換弁が設けられている。よって、上記羽根車の回転方向を切り換えて上記切換弁を排出口に対して開閉させることにより、２つの排出口のうち一方の排出口からポンプ室内の流体を吐出することができる。
【特許文献１】特開２００６−２２００３４号公報
【発明の概要】
【発明が解決しようとする課題】
【０００４】
ところで、上述のような構成では、該排出口から流体を排出した後、ポンプ室内の羽根車の回転を停止すると、該排出口から排出された流体がポンプ室内へ逆流する場合がある。すなわち、上記羽根車を停止させると、上記排出口に接続された排出管内に残留している流体が、上記排出口を経てポンプ室内へ逆流して吸込口側へ流れ込む可能性がある。そうすると、例えば食器洗い機の場合には、流体が該食器洗い機の洗浄室の内部まで逆流して、該洗浄室内に残留してしまうおそれがある。
【０００５】
本発明の目的は、排出口からポンプ室内へ逆流した流体が該ポンプ室内に残留したり、吸込口内に流れ込んだりするのを防止できるポンプを提供することにある。
【課題を解決するための手段】
【０００６】
本発明のポンプは、内部にポンプ室を有し、且つ、該ポンプ室内へ流体を導入するための吸込口と該ポンプ室から流体を排出するための排出口とを有するケーシングと、該ポンプ室内に回転軸を中心として回転可能に配置される羽根車と、を備え、上記ポンプ室内の上記羽根車よりも流体の流れ方向の下流側には、該排出口の延長線上の位置に、該排出口から上記吸込口への流体の逆流を防止するための壁部が設けられているものとする。
【０００７】
以上の構成によれば、羽根車よりも流体の流れ方向の下流側に設けられた壁部によって、排出口からポンプ室内へ逆流した流体は、該壁部よりも上流側へ逆流するのを抑制される。すなわち、上記壁部によって、ポンプ室の吸込口側へ流体が逆流するのを防止することができる。しかも、上記壁部は、上記排出口の延長線上に位置しているため、該排出口からポンプ室内へ逆流した流体の流れを該壁部によって受け止めることができ、該流体の逆流を効果的に抑制することができる。
【発明の効果】
【０００８】
本発明によれば、排出口からポンプ室内へ逆流した流体が吸込口側へ流れて、該ポンプ室内にそのまま残留したり、吸込口へ流れ込んだりするのを防止できる。
【図面の簡単な説明】
【０００９】
【図１】図１は、本発明の実施形態に係るポンプを搭載した食器洗い機の概略構成を示す図である。
【図２】図２は、本発明の実施形態に係るポンプの外観を示す斜視図である。
【図３】図３は、図２におけるIII-III線断面図である。
【図４】図４は、図２におけるポンプケーシングの構成を示す斜視図である。
【発明を実施するための形態】
【００１０】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００１１】
−食器洗い機の全体構成−
図１に本実施形態に係るポンプ２０を搭載した食器洗い機１の概略構成を示す。この食器洗い機１は、本体ケーシング２の内部に形成される洗浄室２ａ内に食器Ｄ等を配置した状態で、該食器Ｄ等に対して洗浄ノズル３から洗浄水を吹き付けることにより、該食器Ｄ等に付着した汚れを除去するように構成されている。具体的には、上記食器洗い機１は、内部に洗浄室２ａが形成される箱状の本体ケーシング２と、該洗浄室２ａ内に配置され、且つ、複数の噴射口３ａ，３ａ，…を有する洗浄ノズル３と、上記洗浄室２ａ内で食器Ｄ等を保持するためのラック４と、上記噴射口３ａから噴射される水を溜めるための水槽５と、該水槽５内の水を上記洗浄ノズル３の噴射口３ａ，３ａ，…へ供給するためのポンプ２０と、を備えている。
【００１２】
上記本体ケーシング２は、内部に空洞を有する箱状に形成されたもので、図示しないが、少なくとも一面に開閉可能なドアが設けられている。上記本体ケーシング２の内部は、食器Ｄ等を洗浄するための洗浄室２ａと、水槽５内の水を洗浄ノズル３または排水管６へ搬送するためのポンプ２０が収納された機械室２ｂと、に区画されている。上記洗浄室２ａ内には、上記洗浄ノズル３及びラック４が収納されているとともに、洗浄後の食器等を乾燥させるための乾燥用ファン７が配置されている。上記機械室２ｂには、上記ポンプ２０が収納されているとともに、食器洗い機１の運転を制御するための制御部８が配置されている。
【００１３】
上記洗浄ノズル３は、上記本体ケーシング２内を上下方向に延びるように略Ｔ字状に形成されている。この洗浄ノズル３の横方向に延びるアーム部分には、下方に向かって開口する複数の噴射口３ａ，３ａ，…が、横方向に一定の間隔で形成されている。また、上記洗浄ノズル３の上下方向に延びる部分は、上記アーム部分に水を供給するための供給管３ｂによって構成されていて、その下端部で上記ポンプ２０の排出部５５に接続されている。これにより、該ポンプ２０から吐出された水が、上記供給管３ｂを通って、洗浄ノズル３のアーム部分に供給され、噴射口３ａ，３ａ，…から噴射される。
【００１４】
上記ラック４は、複数の食器Ｄ等を保持することができ、且つ、洗浄水が洗浄室２ａの下方へ流れ落ちるように、網状部材によって形成されている。このラック４は、本体ケーシング２の内部を上記洗浄室２ａと機械室２ｂとに区画するように設けられたテーブル１１上に配置されている。また、上記ラック４は、図１に示す如く、複数の食器Ｄを立てた状態で保持できるように、図示しない保持部を備えている。
【００１５】
上記水槽５は、上面が開口した箱状に形成されていて、本体ケーシング２の底面上に配置されている。この水槽５の開口部分の周りには、上記洗浄ノズル３の噴射口３ａから噴射された洗浄水を効率良く回収できるように、該開口部分へ繋がる導入壁５ａが形成されている。また、上記水槽５には、水道水を供給するための給水管９が接続されている。さらに、上記水槽５には、一端側が上記ポンプ２０の吸込部５３に接続される導入管１０の他端側も接続されている。
【００１６】
−ポンプの構成−
上記ポンプ２０の構成について、図２から図４に基づいて以下で詳細に説明する。
【００１７】
上記ポンプ２０は、図２及び図３に示すように、固定子２３及び回転子３０を有するモータ部２１と、該回転子３０と一体で回転する羽根車３３によって水を２つの排出口５４ａ，５５ａのいずれか一方へ排出するように構成されたポンプ部５０と、を有する。すなわち、上記ポンプ２０は、上記モータ部２１で回転子３０を回転させることにより、ポンプ部５０内の羽根車３３を回転させて、食器洗い機１の水槽５内の水を該ポンプ部５０内に取り込んで排出口５４ａ，５５ａから吐出するように構成されている。なお、上記ポンプ２０は、モータ部２１が食器洗い機１の天面側に、ポンプ部５０が該食器洗い機１の底面側に、それぞれ位置するように、該食器洗い機１内に設置されている。
【００１８】
上記モータ部２１は、上記ポンプ部５０の上側に取り付けられるモータケーシング２２と、該モータケーシング２２内に収容される回転子３０と、を備えている。このモータケーシング２２は、略円筒状の固定子２３及び回路基板２４を封止樹脂２５によって封止してなる。そのため、上記モータケーシング２２は、全体として、円筒の上端側が塞がれた有底円筒状に形成されている。
【００１９】
また、上記モータケーシング２２は、その内周が、後述するポンプ部５０の開口部分を覆うカバー４０の略円柱状の膨出部４１が嵌合可能な大きさに形成されている。このカバー４０は、該膨出部４１と、ポンプケーシング５１（ケーシング）の開口部分を覆う平板部４３と、を有する。そのため、上記カバー４０は、モータケーシング２２にポンプ部５０内の水が進入しないように、回転子３０及びポンプ５０を含む空間と、モータケーシング２２と、を区画している。また、上記カバー４０の膨出部４１には、その突出端部の内面に、後述する回転子３０の回転軸Ｐに沿って内方（図３における下方）へ突出する突出部４２が一体形成されている。この突出部４２には、突出端部の下面視で略中央に穴部４２ａが形成されていて、該穴部４２ａ内に回転子３０を回転可能に支持する固定軸３４の上端側が嵌合されている。
【００２０】
なお、上記カバー４０は、ねじ４４によって平板部４３が上記ポンプケーシング５１に固定されている。また、上記モータケーシング２２も、ねじ４４によって、上記カバー４０及びポンプケーシング５１に固定されている。
【００２１】
上記回転子３０は、概略円筒状の回転部材３１の外周面上に磁石３２が配置されることにより、全体として略円筒状に形成されている。この回転部材３１には、その軸方向の上側に、内径が軸方向中央部分よりも段状に大きくなって上端側に向かって徐々に拡大する上側拡大穴部３１ａが設けられているとともに、下側にも内径が軸方向中央部分よりも段状に拡大する下側拡大穴部３１ｂが形成されている。上記回転子３０は、上側拡大穴部３１ａ内に上記カバー４０の突出部４２が位置付けられ、且つ、下側拡大穴部３１ｂ内に後述するポンプ部５０の支持部５８の先端部分が位置付けられるように、上記カバー４０の膨出部４１内に配置されている。
【００２２】
また、上記回転部材３１の軸方向中央部分の内側には、上記固定軸３４に対して摺動する略円筒状の軸受３７が配置されている。さらに、上記回転部材３１の上側拡大穴部３１ａ及び下側拡大穴部３１ｂの底面には、それぞれ、上記固定軸３４に嵌合して回転部材３１及び軸受３７に対して摺動する摺動板３５，３６が設けられている。この摺動板３５，３６を設けることにより、回転部材３１及び軸受３７をカバー４０の突出部４２及びポンプ部５０の支持部５８に対してスムーズに摺動させることができる。以上の構成により、上記回転部材３１は、固定軸３１及びカバー４０に対して回転することができる。
【００２３】
上記回転部材３１は、上記磁石３２を上記固定子２３に対応する軸方向位置で保持するように構成されている。すなわち、上記回転部材３１には、上記固定子２３に対応する外周面上の位置で上記磁石３２を保持可能なように、軸方向の所定位置に鍔部３１ｃが形成されている。具体的には、この鍔部３１ａは、上記回転部材３１の外周側に磁石３２を配置した状態で、該磁石３２の外周面と略面一になるような突出幅を有するように形成されている。
【００２４】
上記回転部材３１の下側には、ポンプ部５０の一部を構成する羽根車３３が該回転部材３１と一体形成されている。この羽根車３３は、上記回転部材３１の下側拡大穴部３１ｂを囲むように放射状に配置された複数の羽根３３ａ，３３ａ，…を備えている。すなわち、上記回転部材３１の下面には、複数の羽根３３ａ，３３ａ，…が該回転部材３１に一体形成されている。
【００２５】
上記ポンプ部５０は、上記羽根車３３と、該羽根車３３を収納するためのポンプケーシング５１と、を備えている。このポンプケーシング５１は、図４にも示すように、平面視にて概略台形状で、且つ、上面が開口した箱状に形成されていて、その内側には、上記羽根車３３の収納されるポンプ室５２が形成されている。
【００２６】
また、上記ポンプケーシング５１には、上記ポンプ室５２に連通する吸込口５３ａを有する吸込部５３と、該ポンプ室５２に連通する２つの排出口５４ａ，５５ａを有する排出部５４，５５が設けられている。この吸込部５３は、上記ポンプケーシング５１における上記ポンプ室５２内の羽根車３３に近い位置に設けられている。上記排出部５４，５５のうち一方の排出部５４は、上記吸込部５３とはポンプケーシング５１の反対側に設けられている。他方の排出部５５は、該ポンプケーシング５１の上記排出部５４の近傍に、排出口５５ａが排出口５４ａのポンプ室５２との連通部分に対して略９０度の角度をなす位置で、上記ポンプ室５２と連通するように設けられている。
【００２７】
上記吸込部５３の吸込口５３ａは、上記ポンプケーシング５１の側壁内及び後述するベース部５６内に形成された吸込通路５７に連通していて、該吸込通路５７を介して上記ポンプ室５２に連通している。また、上記吸込部５３は、上記図１に示す導入管１０に接続されている。これにより、水槽５内の水は、導入管１０を経て上記ポンプケーシング５１内のポンプ室５２に導入される。
【００２８】
上記排出部５４の排出口５４ａは、上記ポンプケーシング５１の側壁に形成された排出通路５１ａに連通していて、該排出通路５１ａを経て上記ポンプ室５２に連通している。また、上記排出部５４は、食器洗い機１の外部へ排水するための排水管６に接続されている。これにより、上記ポンプ室５２内の水を、上記排出部５４を経て食器洗い機１の外部へ排水することが可能となる。
【００２９】
上記排出部５５の排出口５５ａは、上記ポンプケーシング５１の側壁に形成された還流通路５１ｂに連通していて、該還流通路５１ｂを経て上記ポンプ室５２に連通している。また、上記排出部５５は、洗浄ノズル３のアーム部分に水を供給するための供給管３ｂに接続されている。これにより、上記ポンプ室５２内の水を、上記排出部５５を経て洗浄ノズル３の噴射口３ａへ供給することが可能となる。
【００３０】
上記ポンプ室５２は、上記羽根車３３を収容するための略円柱状の羽根車収容部５２ａと、該羽根車収容部５２ａに対し、該羽根車収容部５２ａから２つの排出孔口５４ａ，５５ａに向かって延びる２つの通路部５２ｃ，５２ｄを経て繋がる切換弁収容部５２ｂ（回動空間部）と、からなる。この切換弁収容部５２ｂ内には、後述する切換弁６５が収容される。上記ポンプ室５２内には、上記羽根車３３の外径とほぼ同じ外径を有する概略円筒状のベース部５６が該ポンプ室５２の底面から上方へ延びるように、ポンプケーシング５１と一体に設けられていて、該ベース部５６の上方の空間が上記羽根車収容部５２ａを構成している。これにより、該羽根車収容部５２ａは、上記切換弁収容部５２ｂよりもポンプ室５２内の上方に形成される。上記２つの通路部５２ｃ，５２ｄは、上記羽根車収容部５２ａと切換弁収容部５２ｂとを滑らかに繋ぐ後述の傾斜部５９，６０上に形成される。
【００３１】
また、図２に示すように、上記ベース部５６は、その上面５６ｂが、排出口５４ａの出口側から視て、入口側開口縁の最上点５４ｂよりも高くなるように形成されている。さらに、上記ベース部５６には、上記切換弁収容部５２ｂ及び通路部５２ｃ，５２ｄに面する外側壁５６ａが形成されている。これにより、後述するように、上記排出口５４ａからポンプ室５２内に水が逆流した場合でも、上記ベース部５６の外側壁５６ａによって水の流れを堰き止めることができる。この水の逆流は、上記傾斜部５９，６０によっても堰き止められる。すなわち、上記外側壁５６ａ及び傾斜部５９，６０によって、本発明の壁部が構成されている。
【００３２】
さらに、上記ベース部５６には、その内側壁としての内周面に開口するように、上記吸込部５３の吸込口５３ａと連通する吸込通路５７が形成されている。これにより、上記吸込部５３の吸込口５３ａから吸込通路５７を経てポンプ室５２内へ水を導入することができる。また、上記吸込通路５７は、上記ベース部５３ａの内方に開口する側の開口縁の最下点５３ｂが、該ベース部５３ａの内側の底面５６ｃよりも高くなるように形成されている。これにより、上記ポンプ室５２内へ逆流した後、上記ベース部５３ａの内側に流入した水が、上記吸込通路５７内へ流入するのを抑制することができる。
【００３３】
また、上記ベース部５６の内方には、先端部に挿入穴５８ａが形成された円柱状の支持部５８が設けられている。この支持部５８は、概略円筒状のベース部５６に対して同心になるように設けられていて、上記挿入穴５８ａは、上記固定軸３４の先端部分が挿入されるような大きさに形成されている。これにより、上記羽根車３３を有する回転子３０は、上記支持部５８によって下側から回転可能に支持される。
【００３４】
上記切換弁収容部５２ｂには、上記排出通路５１ａ及び循環通路５１ｂを経て上記排出部５４，５５の排出口５４ａ，５５ａが連通している。また、この切換弁収容部５２ｂには、上記排出口５４ａの開閉を切り換えるための切換弁６５が収納されている。この切換弁６５は、図示しない支軸を中心として回動可能に支持されていて、図示しないバネによって排出口５４ａ側に作用する押圧力を受けながら、上記ポンプ室５２内の水の流れ方向に応じて、上記排出口５４ａ，５５ａのいずれか一方が開状態のときに他方が閉状態になるように構成されている。上記切換弁６５の構成は、従来から食器洗い機用のポンプなどに用いられているものと同じなので、詳しい説明については省略する。なお、上記切換弁収容部５２ｂ内には、上述のような切換弁６５が回動可能に配置されているため、該切換弁収容部５２ｂは、平面視で略扇状に形成されている。
【００３５】
このように、上記切換弁収容部５２ｂは、上記排出口５４ａ，５５ａと連通しているため、上記ポンプ２０が駆動停止すると、すなわち羽根車３３の回転が止まると、該排出口５４ａ，５５ａから排出された水が切換弁収容部５２ｂ内に逆流する可能性がある。すなわち、上記切換弁６５は、上記ポンプ２０の駆動中はポンプ室５２内の水流による押圧力とバネによる押圧力とによって排出口５４ａ側に押圧されているが、上述のようにポンプ２０の駆動が停止すると、ポンプ室５２内の水流による押圧力がなくなるとともに、排出された水の逆流による力がバネの押圧力よりも大きい場合に、排出口５４ａは開状態となる。上記切換弁収容部５２ｂ内に逆流した水が、吸込口５３ａから導入管１０を介して水槽５へ流れ込むと、食器洗い機１の本体ケーシング２内に水が残留することになり、衛生上にも美観的にも好ましくない。また、上記水槽５内へ到達せずにポンプ室５２内に水が溜まることも、同様の理由により好ましくない。
【００３６】
これに対し、上述のように、概略円筒状の上記ベース部５６内に吸込通路５７を形成し、該吸込通路５７をベース部５６の内側壁に開口させることで、ポンプ２０の駆動停止後に、上記排出口５４ａ，５５ａから上記切換弁収容部５２ｂ内に逆流した水が、該吸込通路５７内へ流入するのを防止することができる。すなわち、上記ベース部５６の外側壁５６ａが上記切換弁収容部５２ｂの壁部を構成するため、上記排出口５４ａ，５５ａから該切換弁収容部５２ｂ内に流入した水は、上記ベース部５６の外側壁５６ａによって堰き止められて、上記吸込通路５７側へ流入するのが抑制される。これにより、ポンプ２０の駆動停止後に、水がベース部５３ａ内に流れ込んでポンプ室５２内に残留したり、上記吸込通路５７を経て食器洗い機１の本体ケーシング２内に水が逆流したりするのを防止できる。
【００３７】
また、上記切換弁収容部５２ｂは、２つの通路部５２ｃ，５２ｄを経て上記羽根車収容部５２ａと繋がっている。これらの通路部５２ｃ，５２ｄは、それぞれ、平面視で上記ベース部５６の支持部５８を挟んで対向する位置から概略円筒状のベース部５６の外側壁５６ａに沿って孤を描くように上記切換弁収容部５２ｂの底面へ延びる傾斜部５９，６０によって形成されている。すなわち、これらの傾斜部５９，６０は、一方の傾斜部５９が上記排出通路５１ａに向かって延びるように設けられているとともに、他方の傾斜部６０が上記還流通路５１ｂに向かって延びるように設けられている。
【００３８】
また、上記傾斜部５９，６０は、それぞれ、ポンプケーシング５１の側壁の内側に隣接するように設けられている。これにより、上記ポンプケーシング５１の側壁の内側は、上記傾斜部５９，６０の側壁を構成している。なお、上記傾斜部５９，６０は、上記ベース部５６の上面と上記切換弁収容部５２ｂの底面との間を段差が生じることなく、滑らかに繋ぐように設けられている。
【００３９】
このように、上記羽根車収容部５２ａと切換弁収容部５２ｂとの間に、傾斜部５９，６０によって形成される通路部５２ｃ，５２ｄを設けることで、詳しくは後述するように、該羽根車収容部５２ａ内で羽根車３３から径方向外方に吐出された水は、羽根車３３の周囲を円環状に流れるとともに、上記通路部５２ｃ，５２ｄを流れて、上記切換弁収容部５２ｂ内へスムーズに搬送される。しかも、上述のように、一方の傾斜部５９を排出口５４ａに連通する排出通路５１ａに向かって延びるように設けるとともに、他方の傾斜部６０を排出口５５ａに連通する還流通路５１ｂに向かって延びるように設けることで、切換弁収容部５２ｂ内に収容される切換弁６５を、水の流れによって開閉させることが可能になる。すなわち、上記通路部５２ｃ内を傾斜部５９を下る方向に水が流れると、切換弁６５はその水の流れを受けて、排出口５４ａを閉じる方向に回動する。一方、上記通路部５２ｄ内を傾斜部６０を下る方向に水が流れると、切換弁６５は、その水の流れを受けて上記排出口５４ａを開状態にする方向に回動し、排出口５５ａを閉状態にする。これにより、上記傾斜部５９上を水が下方へ流れるときには、上記排出口５５ａから給水管９へ水が流れる一方、上記傾斜部６０上を水が下方へ流れるときには、上記排出口５４ａから排水管６へ水が流れる。
【００４０】
また、上記還流通路５１ｂに向かって延びる傾斜部６０と、切換弁収容部５２ｂと、ベース部５６とに囲まれた部分には、仕切壁６１（ガイド部）が設けられている。この仕切壁６１は、概略五角形の断面を有する柱状に形成されている。これにより、上記仕切壁６１は、その側面の一つが上記傾斜部６０上に形成される通路部５２ｄの側壁を構成している。
【００４１】
上記仕切壁６１の側面のうち、上記ベース部５６側の側面は、該ベース部５６の外周に沿うように平面視で略円弧状に形成されている。これにより、上記ベース部５６上に形成される羽根車収容部５２ａの一部に対して壁が形成され、この壁に沿って水が流れることになるため、該羽根車収容部５２ａ内を羽根車３３が回転した際の該羽根車収容部５２ａ内の水の圧力低下を局所的に抑制することができる。したがって、上記羽根車３３から吐出された水を、上記羽根車収容部５２ａの仕切壁６１以外の部分から切換弁収容部５２ｂへ効率良く搬送することが可能となる。
【００４２】
なお、上記仕切壁６１の側面のうち、上記切換弁収容部５２ｂ側の側面は、該切換弁収容部５２ｂの形状（平面視で扇状）に合わせるように、平面視で略円弧状に形成されている。これにより、上記切換弁収容部５２ｂ内での切換弁６５の回動が、上記仕切壁６１によって阻害されることはない。
【００４３】
−運転動作−
上述のような構成を有する食器洗い機１の運転動作について、以下で説明する。
【００４４】
上記食器洗い機１は、洗浄工程、すすぎ工程及び乾燥工程の各工程を行って、上記ラック４内にセットされた食器Ｄ等を洗浄して乾燥させる。
【００４５】
まず、図１に示すように、食器洗い機１内のラック４に食器Ｄ等をセットして、洗剤を水槽５内に投入する。食器洗い機１の運転を開始すると、給水管９を経て水槽５内に所定量の水道水が供給され、該水槽５内に洗浄水が溜められる。この水槽５内の洗浄水は、導入管１０を経て上記食器洗い機１のポンプ２０内の吸込通路５７へ進入する。
【００４６】
洗浄工程では、上記食器洗い機１内のポンプ２０の羽根車３３が正転方向（図３及び図４において黒矢印方向）に回転して、上記吸込通路５７内の洗浄水を該羽根車３３によってポンプ室５２内の羽根車収容部５２ａへ吐出する。吐出された洗浄水は、羽根車３３の周囲を流れながら、通路部５２ｃを通って切換弁収容部５２ｂへ流れ、排出口５５ａから給水管９へ流入する。図４において、水の流れを黒矢印で示す。このとき、上記切換弁収容部５２ｂ内に収容されている切換弁４５は、上記洗浄水の流れによって排出口５４ａを閉状態にするため、洗浄水は排出孔５５ａを経て吸水管９へ流れる。
【００４７】
上記給水管９へ送られた洗浄水は、洗浄ノズル３の噴射口３ａから下方に向かって噴射され、上記ラック４内にセットされた食器Ｄ等を洗浄する。該食器Ｄ等を洗浄した後の洗浄水は、水槽５内に再び集められる。そして、この水槽５内の水は、上述のとおり、ポンプ２０によって食器洗い機１内を循環する。
【００４８】
上記洗浄工程における食器Ｄ等の洗浄動作が終了すると、上記ポンプ２０の羽根車３３は逆転方向（図３及び図４において白抜き矢印方向）に回転して、上記水槽５内に回収された洗浄後の汚水を上記羽根車３３によってポンプ室５２内の羽根車収容部５２ａへ吐出する。該羽根車収容部５２ａ内へ吐出された汚水は、羽根車３３の周囲を流れながら、通路部５２ｄ及び切換弁収容部５２ｂを経て排出口５４ａから排水管６へ排出される。このとき、該切換弁収容部５２ｂ内に収容されている切換弁６５は、上記汚水の流れによって、排水口５５ａを閉状態にするとともに排出口５４ａを開状態にするため、上記汚水は、該排出口５４ａを経て排水管６へ流れる。
【００４９】
洗浄工程後に行われるすすぎ工程は、洗浄水ではなく、洗剤を含まない水道水で食器等の汚れや洗剤を洗い流す点以外、上記洗浄工程と同じなので、詳しい説明は省略する。
【００５０】
上述のような洗浄工程及びすすぎ工程が終了すると、乾燥工程になり、本体ケーシング２の洗浄室２ａの側壁に設けられた乾燥用ファン７が作動して、該洗浄室２ａ内を温風が循環する。これにより、該洗浄室２ａ内のラック４にセットされた食器等の乾燥が行われる。なお、この乾燥工程では、上記ポンプ２０は停止した状態である。
【００５１】
このように、上記ポンプ２０によって排水管６から汚水を排出した後、該ポンプ２０を停止させる場合、該排水管６内の汚水が排出口５４ａを経てポンプ室５２内へ逆流し、導入管１０を経て水槽５に溢れ出す可能性がある。しかしながら、上述のように、ポンプ２０のポンプケーシング５１内に概略円筒状のベース部５６を設けて、その内側壁に吸込通路５７を開口させることにより、該ベース部５６の外側壁５６ａ及び上記通路部５２ｃ，５２ｄを構成する傾斜部５９，６０が上記排出口５４ａからの汚水の逆流を抑制する壁部として機能する。したがって、上記排水管６から排出口５４ａを介してポンプ室５２内に逆流した汚水が、上記吸込通路５７を経て吸込口５２ａへ流入するのを防止できる。しかも、上記ベース部５６の外側壁５６ａは、上記排出口５４ａの延長線上に位置しているため、該排出口５４ａからポンプ室５２内へ逆流する汚水を上記壁部によって効果的に堰き止めることができる。
【００５２】
なお、上述のようなポンプ室５２内への水の逆流は、水を排出口５５ａから排出して循環させているときに上記ポンプ２０を駆動停止させた場合にも生じるが、この場合も、上記ベース部５６の外側壁５６ａ及び傾斜部５９，６０によって、該排出口５５ａから上記吸込通路５７への水の逆流も防止することができる。
【００５３】
−実施形態の効果−
以上より、本実施形態では、水槽５内の水を吸込口５３ａからポンプ室５２内に導入し、排出口５４ａ，５５ａから吐出するように構成されたポンプ２０において、上記ポンプ室５２内に、該ポンプ室５２の底面から上方に向かって延び、且つ、上記吸込口５３ａと連通する吸込通路５７の開口が内側壁に形成される略円筒状のベース部５６を設けたため、排出口５４ａ，５５ａから切換弁収容部５２ｂ内へ逆流した水が、上記吸込通路５７内へ流れ込むのを防止できる。
【００５４】
すなわち、上記ポンプ２０の羽根車３３を停止すると、水が上記排出口５４ａ，５５ａからポンプ室５２の切換弁収容部５２ｂ内へ逆流する可能性があるが、上記ベース部５６の上面５６ｂは該切換弁収容部５２ｂの底面よりも高いため、該ベース部５６の内方及び該ベース部５６の内側壁に開口する上記吸込通路５７内に、水が流入するのを防止できる。つまり、上記ベース部５６の外側壁５６ａ及び傾斜部５９，６０によって、上記切換弁収容部５２ｂ内に逆流した水が、ベース部５６の内方に残留したり、吸込口５３ａ側へ流入したりするのを防止できる。
【００５５】
さらに、上記ベース部５６の上面５６ｂは、排出口５４ａの出口側から視て、該排出口５４ａの入口側開口縁の最上点５４ｂよりも高くなるように形成されているため、該排出口５４ａから逆流する水を効果的に堰き止めることができる。
【００５６】
また、上記ベース部５６の上面５６ｂと上記切換弁収容部５２ｂの底面とを繋ぐように、傾斜部５９，６０が設けられているため、該切換弁収容部５２ｂは、上記ベース部５６の上方に形成される羽根車収容部５２ａに対し、通路部５２ｃ，５２ｄを介して接続される。これにより、上記羽根車３３によって吐出された水は、上記羽根車収容部５２ａと、上記切換弁収容部５２ｂとの間をスムーズに流れる。したがって、ポンプ室５２内で水を効率良く搬送することができ、ポンプ２０の運転効率の向上を図れる。
【００５７】
しかも、上記ベース部５６に対して、上記羽根車３３の回転方向に応じて水が流れるように２つの傾斜部５９，６０を形成することで、該羽根車３３を正転方向及び逆転方向に回転させた場合でも、該羽根車３３から吐出された水を上記切換弁収容部５２ｂへ効率良く流すことができる。
【００５８】
また、上記傾斜部５９，６０は、それぞれ、ポンプケーシング５１の側壁の内側に隣接するように設けられているため、該側壁の内側が傾斜部５９，６０によって形成される通路部５２ｃ，５２ｄの側壁として機能し、該通路部５２ｃ，５２ｄにスムーズに水を流すことができる。
【００５９】
さらに、上記通路部５２ｄを構成する傾斜部６０と上記切換弁収容部５２ｂと上記ベース部５６とによって囲まれる部分に、該通路部５２ｄの側壁及び上記羽根車収容部５２ａの側壁を構成する仕切壁６１を設けることで、該仕切壁６１によって、上記通路５２ｄ内に水をよりスムーズに流すことができる。しかも、上記仕切壁６１のベース部５６側の側面によって、上記羽根車収容部５２ａ内での水の圧力低下を部分的に抑えることができるため、上記仕切壁６１が設けられていない場合に比べて、羽根車３３の吐出性能の向上を図れる。
【００６０】
《その他の実施形態》
上記実施形態については、以下のような構成としてもよい。
【００６１】
上記実施形態では、ベース部５６の上面と切換弁収容部５２ｂの底面とを繋ぐ２つの傾斜部５９，６０を設けているが、この限りではなく、ポンプ２０の吐出性能が要求される場合（食器洗い機１では水を循環させる場合）に、水が通過する側にのみ傾斜部（本実施形態では傾斜部５９）を設けてもよい。また、ポンプ２０の吐出性能やポンプケーシング５１の成型の都合により、これらの傾斜部を省略して、ベース部５６ａの上面５６ｂと切換弁収容部５２ｂの底面との間に、段差が形成されるようにしても良い。
【００６２】
また、上記実施形態では、傾斜部６０とベース部５６との間に仕切壁６１を設けているが、この限りではなく、仕切壁６１を設けなくても良い。
【００６３】
また、上記実施形態では、ポンプ室５２内に概略円筒状のベース部５６を設けているが、この限りではなく、吸込口５３ａと排出口５４ａ，５５ａとの間に壁を設けて、該吸込口５３ａ側から羽根車を介して排出口５４ａ，５５ａ側へ水を流すなど、排出口５４ａ，５５ａ側から逆流した水が、吸込口５３ａ側へ流れ込むのを防止できるような壁部が形成される構成であれば、どのような構成であってもよい。
【００６４】
また、上記実施形態では、ポンプ２０を食器洗い機１に適用しているが、この限りではなく、水等の流体を搬送する必要がある装置であれば、食器洗い機１以外の装置に上記ポンプ２０の構成を適用してもよい。
【符号の説明】
【００６５】
１      食器洗い機
６      排水管
２０    ポンプ
３３    羽根車
５０    ポンプ部
５１    ポンプケーシング（ケーシング）
５２    ポンプ室
５２ｂ  切換弁収容部（回動空間部）
５３ａ  吸込口
５４ａ、５５ａ  排出口
５６    ベース部
５６ａ  側壁（壁部）
５６ｂ  上面（上部）
５７    吸込通路
５９，６０  傾斜部（壁部）
６１    仕切壁（ガイド部）
６５    切換弁
Ｐ      回転軸
【図１】
2011021510.tif 000003
【図２】
2011021510.tif 000004
【図３】
2011021510.tif 000005
【図４】
2011021510.tif 000006